(57)【要約】【課題】ハンドルの抜け止め防止及び角軸ガタツキ回転防止の効果を確実かつ強固に得ること。【解決手段】ハンドルと角軸を、固着具を介して一体的に連結するドア用ハンドルの固定構造に於いて、ハンドルと角軸との連結時、角軸に形成した係合溝に係合する係合端板部を有する断面Ｌ型又はコ字型形状の角軸抜け止め及び角軸ガタツキ回転防止用の嵌合片を、ハンドルの筒状軸部の外壁面に形成した凹所に嵌め込み、該嵌合片を、固着具を介して前記凹所内の支持壁に固定したドア用ハンドルの固定構造。【選択図】図６
2009179962.tif 000002
【特許請求の範囲】
【請求項１】
ハンドルと角軸を、固着具を介して一体的に連結するドア用ハンドルの固定構造に於いて、ハンドルと角軸との連結時、角軸に形成した係合溝に係合する係合端板部を有する断面Ｌ型又はコ字型形状の角軸抜け止め及び角軸ガタツキ回転防止用の嵌合片を、ハンドルの筒状軸部の外壁面に形成した凹所に嵌め込み、該嵌合片を、固着具を介して前記凹所内の支持壁に固定したことを特徴とするドア用ハンドルの固定構造。
【請求項２】
請求項１に於いて、ハンドルと角軸は、嵌合片の取付け孔から角軸の連結穴までねじ込まれる固着具を介して一体的に連結されることを特徴とするドア用ハンドルの固定構造。
【発明の詳細な説明】
【技術分野】
【０００１】
本発明は、ビルのサッシ型開閉窓、室内扉等の開閉体用のドア用ハンドルの固定構造に関する。
【背景技術】
【０００２】
特許文献１には、「径方向に貫通するねじ孔（１０）が周側部に形成された操作部材（２）の筒部（２Ａ）内に棒状体（１）を同軸心状に挿通し、前記ねじ孔（１０）に止めねじ（９）を螺合させて当該止めねじ（９）の先端を棒状体（１）の外周面に押圧することにより、前記筒部（２Ａ）を棒状体（１）に固定するようにした操作部材の固定構造において、前記棒状体（１）の外周面における前記止めねじ（９）の先端が当接する部分に、当該棒状体（１）の抜け方向に向かうに従って同棒状体（１）の径内側に変位する傾斜面（１１）を形成した操作部材の固定構造」が開示されている（符号は特許文献１のもの）。
【０００３】
特許文献１に記載の実施例は、ハンドルの抜け止め防止の効果を十分に得ることができるという利点があった。しかし、ハンドルの抜け止め防止の効果を確実かつ強固（例えば長年使用しても、半永久的に止めねじ９が緩まない）にするためには、まだ改良すべき余地があった。
【特許文献１】特開平８−１８４２２５号公報
【発明の開示】
【発明が解決しようとする課題】
【０００４】
本発明の所期の目的は、開閉体用の角軸とハンドルの取付け施工現場に於いて、ハンドルの抜け止め防止及び角軸ガタツキ回転防止の効果を確実かつ強固に得ることができることである。また、例えばハンドルをビルの傾倒可能なサッシ窓の框に取付けた場合には、ネジが緩むことによってハンドルが落下しないことである。
【課題を解決するための手段】
【０００５】
本発明のドア用ハンドルの固定構造は、ハンドルと角軸を、固着具を介して一体的に連結するドア用ハンドルの固定構造に於いて、ハンドルと角軸との連結時、角軸に形成した係合溝に係合する係合端板部を有する断面Ｌ型又はコ字型形状の角軸抜け止め及び角軸ガタツキ回転防止用の嵌合片を、ハンドルの筒状軸部の外壁面に形成した凹所に嵌め込み、該嵌合片を、固着具を介して前記凹所内の支持壁に固定したことを特徴とする。
【発明の効果】
【０００６】
（ａ）ハンドルの抜け止め防止及び角軸ガタツキ回転防止の効果を確実かつ強固に得ることができる。付言すると、角軸と筒状軸部との間に例え寸法上の遊び（誤差も含む）があっても、角軸の周方向のガタ的可動座回転を防止でするもできる。
（ｂ）ハンドルの筒状軸部の外周面側から嵌合片を凹所内に嵌め込み、かつ、該嵌合片を凹所内の支持壁に固着具を介して固定すれば良いから、ハンドルと角軸の固定が容易である。
（ｃ）また、請求項２に記載の発明は、例えばハンドルをビルの傾倒可能なサッシ窓の框に取付けた場合には、ネジが緩むことによってハンドルが直ちに落下しない。
【発明を実施するための最良の形態】
【０００７】
以下、図１乃至図６に示す本発明を実施するための最良の形態（第１実施例）により説明する。
【０００８】
（１）発明の実施の環境
まず、図１は発明の実施の環境を示す概略説明図である。図１に於いて、１はビルのサッシ型開閉窓、室内扉等の開閉体で、この開閉体１の自由端部（開放側の端部）には、図示しない錠箱が内装されている。錠箱には、特に図示しないが反転ラッチ、ラッチボルト等のラッチが設けられ、該ラッチはラッチバネにより、その先端部が錠箱のフロントから常時突出するように付勢されている。
【０００９】
次に、２は開閉体１の内壁面に固定される図示しない内側の座構成部材を介して回転自在に取り付けられる内側のハンドル（例えばレバーハンドル）である。一方、３は開閉体１の外壁面に固定される図示しない外側の座構成部材を介して回転自在に取り付けられる外側のハンドル（例えばレバーハンドル）である。内外のハンドル２，３は、角軸と称される棒状体（以下、「角軸」という）４を介して一体的に連結されている。したがって、周知のように、例えば内側のハンドル２の握り部を押し下げるように操作すると、内側のハンドル２、角軸４及び外側のハンドル３は一体的に回動する。そして、内側のハンドル２を押し下げると、図示しないラッチ出没機構により、ラッチが錠箱内へと後退することから、当該内側のハンドル２を手前に引くことができる。
【００１０】
さて、内外のハンドル２，３は、先端部分に小径の首部分（ボス部）５を有する筒状軸部６と、この筒状軸部６に交差方向に連設する握り部７をそれぞれ有し、筒状軸部６乃至握り部７は全体として平面視Ｌ型形状をしている（図１参照）。また、前記筒状軸部６には、その首部分５の先端面から軸方向に角型の軸取付け穴８がそれぞれ所要量形成されている。したがって、角軸４の左右両端部は、前記筒状軸部６の軸取付け穴８に嵌挿され、或いは角軸４の左右両端部に内外のハンドル２，３の筒状軸部６がそれぞれ外嵌合する。
【００１１】
また、ハンドル軸と称される角軸４は、図１で示すように、図示しない錠箱とラッチハブを含む開閉体１及び図示しない内外の座構成部材をそれぞれ貫通している。普通一般に、角軸４の基端部は、外側のレバーハンドル３の筒状軸部６に予め一体的に固定されており、その他端部は、内側座構成部材の貫通孔に嵌め込まれる内側のレバーハンドル２の筒状軸部６に、ネジ孔、該ネジ孔に螺合する固着具としての止めネジを介して固定される。
【００１２】
（２）発明の主要部
ドア用ハンドルの固定構造Ｘは、例えば内側のハンドル２と棒状の角軸４との連結時、角軸４の挿入端部４ａに形成した係合溝１６に係合する係合端板部２３を有する断面Ｌ型又はコ字型形状の角軸抜け止め及び角軸ガタツキ回転防止用の嵌合片２１を、ハンドルの筒状軸部６の外壁面に形成した凹所１１に嵌め込み、該嵌合片２１の取付け孔（例えばネジ孔）２４から、例えば角軸４の固着具用の連結穴１５までねじ込まれる前記固着具１０及び前記嵌合片２１を介してハンドル２と角軸４が一体的に連結される。
【００１３】
（３）具体的構成
まず、本発明のドア用ハンドルの固定構造Ｘは、ハンドル２と角軸４を、固着具１０を介して一体的に連結することを前提とする。次に、図２及び図３で示すように、ハンドル２の筒状軸部６には、その外壁面に径方向に向かって所要量の凹所１１が形成され、該凹所１１の内壁底面に相当する支持壁１２には、軸取付け穴８に連通する固着具用の取付け孔１３が形成されている。
【００１４】
本実施例では、固着具１０が頭部を有しない止めネジなので、前記取付け孔１３は、嵌合片２１の中央部に形成されたネジ孔２４と同様のネジ孔である。もちろん、取付け孔１３は、固着具１０が頭部を有する場合には、貫通孔であっても良い。また、前記凹所１１内の前記支持壁１２の左右両端面には、筒状軸部６の軸取付け孔８に連通する一対の挿入空間１４が形成されている。これらの挿入空間１４は、例えば筒状軸部６の軸方向に所定量形成されている。
【００１５】
一方、前記角軸４には、その挿入端部４ａに固着具用の取付け孔１３と対向する固着具用の連結穴１５が形成されている。この連結穴１５は、固着具１０の形式如何によってはメネジであっても良いが、本実施例では、固着具１０の先端部１０ａが遊びの状態をもって係入する係合孔である。また、この固着具用の連結穴１５の形成部位は任意に設計変更し得る事項であるが、例えば角軸４の隣り合う２つの面によって形成され一つの稜線部１７に形成されている。
【００１６】
そして、前記隣り合う２つの面には、凹所１１内の挿入空間１４に対向する切欠状の係合溝１６が一対形成されている。付言すると、角軸４の係合溝１６は、固着具用の連結穴１５を基準にして軸方向に左右に対称に形成されている。
【００１７】
次に、角軸抜け止め及び角軸ガタツキ回転防止用の嵌合片２１の構成を説明する。嵌合片２１は、図２や図５で示すように、チャンネル形状（例えば断面コ字型形状）に形成されている。もちろん、この断面形状は限定要件ではなく、例えば断面Ｌ型に形成することもできる。
【００１８】
しかして、嵌合片２１は、図６で示すように、嵌合時、断面多角形や円形（本実施例）の外周面の曲率と同一の外面曲率で弧状に形成され、かつその内面が凹所１１の支持壁１２の外面と対向或いは接触するベース板部２２と、このベース板部２２の両端部から脚状に延在する左右一対の係合端板部２３とを有し、前記ベース板部２２の中央部には、固着具用の貫通の取付け孔（例えばネジ孔）２４が形成されている。
【００１９】
（４）連結時
ハンドル２と角軸４との連結態様について、図５及び図６を参照にして説明する。まず、角軸４の挿入先端部にハンドル２の筒状軸部６を外嵌合する。図５は、ハンドル２の筒状軸部６の軸取付け孔８に角軸４の挿入先端部４ａを嵌挿した、或いは角軸４の挿入先端部４ａにハンドル２の筒状軸部６を外嵌合した旨を示す。この場合、筒状軸部６側の貫通取付け孔１３と角軸４側の連結孔１５を合わせるようにすると、筒状軸部６側の挿入空間１４と角軸４の係合溝１６も符合する。
【００２０】
次に、貫通取付け孔１３、連結孔１５等の位置決めが終わったら、図６で示すように、凹所１１内に嵌合片２１を嵌め込む。この時、嵌合片２１の左右一対の係合端板部２３を挿入空間１４に通して角軸４の係合溝１６に係合させる。したがって、チャンネル形状の嵌合片２１は、筒状軸部６の支持壁１２を跨ぐ格好と成る。
【００２１】
そして、最後に、固着具１０を嵌合片２１のネジ孔２４から角軸４の固着具用の連結穴１５までねじ込んで、該固着具１０と嵌合片２１の両方で、ハンドル２と角軸４とを一体的に連結する。図６で示すように、嵌合片２１の左右一組の係合端板部２３が角軸の稜線部分１７を挟むように左右の係合溝１６に係合するので、本発明の所期の目的・効果を達成することができる。
【実施例】
【００２２】
図７及び図８（第２実施例）は、嵌合片２１、凹所１１内の挿入空間１４、角軸側の係合溝１６のそれぞれの向きや形成部位を任意に設計変更したものである。この第２実施例のように、例えば角軸側の係合溝１６を、稜線部分を形成する両側面或いは一側面に形成する。
【００２３】
係合溝１６の形成方向が角軸４と交差状態である等に設計変更しても、本発明の所期の目的・効果を達成することができる。なお、説明の便宜上、第２実施例の用語や符合は第１実施例と同一にする。また、固着具１０が頭部を有する場合には、角軸４の挿入端部４ａの連結穴１５をメネジに形成すれば良いから、このような場合には、他の取付け孔１３、２４は固着具用の貫通の取付け孔であっても良い。
【産業上の利用可能性】
【００２４】
本発明は、主に錠前や建具の業界で利用される。
【図面の簡単な説明】
【００２５】
図１乃至図６は本発明の最良の実施例（第１実施例）を示す各説明図。図７及び図８は、本発明の第２実施例を示す各説明図。
【図１】発明の実施の環境を示す概略説明図。
【図２】斜視から主要部（角軸とハンドルと嵌合片との関係）を示す概略説明図。
【図３】平面視から主要部（角軸とハンドルと嵌合片との関係）を示す概略説明図。
【図４】ハンドルの筒状軸部の概略断面説明図。
【図５】連結時の概略断面説明図（角軸にハンドルを外嵌合）。
【図６】連結時の概略断面説明図（嵌合片を凹所に嵌合しかつ固着具で固定）。
【図７】第２実施例の斜視から説明図。
【図８】第２実施例の連結時の概略断面説明図。
【符号の説明】
【００２６】
Ｘ…、１…開閉体、２…内側のハンドル、３…外側のハンドル、４…角軸（棒状体）、４ａ…挿入先端部、５…首部分（ボス部）、６…筒状軸部、８…軸取付け穴、１０…固着具（止めネジ）、１０ａ…先端部、１１…凹所、１２…凹所内の支持壁、１３…支持壁の取付け孔、１４…凹所側の挿入空間、１５…角軸側の連結穴（係入孔、メネジ）、１６…係合溝、１７…稜線部分、２１…嵌合片、２２…ベース板部、２３…係合端板部、２４…嵌合片の取付け孔（ネジ孔、貫通孔）。
【図１】
2009179962.tif 000003
【図２】
2009179962.tif 000004
【図３】
2009179962.tif 000005
【図４】
2009179962.tif 000006
【図５】
2009179962.tif 000007
【図６】
2009179962.tif 000008
【図７】
2009179962.tif 000009
【図８】
2009179962.tif 000010